(57)【特許請求の範囲】
【請求項１】
建物窓開口に横方向に連設される窓板材を支持するとともに、隣り合う窓板材間の目地をシールする連窓用目地部の構造であって、
各窓板材の上下縁部を窓開口の上下縁部に沿って嵌め込み支持するガスケットと、
隣り合う窓板材の側縁部間にシール材を充填して形成される目地シール部とを備え、
上記ガスケットの軸方向端面に金属プレートを一体的に接合するとともに、上記金属プレートを介して上記目地シール部と上記ガスケットとを接続した、連窓用目地部の構造。
【請求項２】
建物窓開口に縦方向に連設される窓板材を支持するとともに、隣り合う窓板材間の目地をシールする連窓用目地部の構造であって、
各窓板材の両側縁部を窓開口の両側縁部に沿って嵌め込み支持するガスケットと、
隣り合う窓板材の上下縁部間にシール材を充填して形成される目地シール部とを備え、
上記ガスケットの軸方向端面に金属プレートを一体的に接合するとともに、上記金属プレートを介して上記目地シール部と上記ガスケットとを接続した、連窓用目地部の構造。
【請求項３】
上記金属プレートを、上記ガスケットの端面の一部又は全部を覆う形状に形成するとともに、ガスケットの加硫成形時に上記ガスケットに一体的に接合した、請求項１もしくは２に記載の連窓用目地部の構造。
【請求項４】
上記ガスケットは、窓板材の縁部を嵌め込み支持する嵌め込み溝と、ジッパーを嵌め込むジッーパー溝とを備え、上記ジッパー溝にジッパーを嵌め込むことにより、上記嵌め込み溝に嵌め込まれた窓板材の縁部を弾性的に押圧するように構成されている、請求項１，２もしくは３のいずれかに記載の連窓用目地部の構造。
【請求項５】
建物窓開口に連設される窓板材の縁部を窓開口の縁部に沿って嵌め込み支持するガスケットであって、
上記ガスケットの軸方向端面に、端面の一部又は全部を覆う金属プレートを一体的に接合して構成される、連窓用ガスケット。
【発明の詳細な説明】
【０００１】
【発明の属する技術分野】
本願発明は、連窓用目地部の構造及び連窓用ガスケットに関する。詳しくは、ゴム製のガスケットと、シール材を充填して形成される目地シール部とを備える目地部の構造に関する。
【０００２】
【従来の技術】
建物の窓開口に２以上の窓板材を横方向に連続させて取り付け、これら窓板材の目地のシールを行う連窓用目地部の構造として、たとえば、特開平８─３０３１２７号公報に記載されているものがある。
【０００３】
上記公報に記載されている目地部の構造は、隣り合う一方の窓板材を嵌め込んで支持する第一のガスケット部と他方の窓板材を嵌め込んで支持する第二のガスケット部とを備え、これら一対のガスケット部を対接させて方立部材に支持するとともに、これらガスケット部の対接面に止水シール部を設けて構成される。上記止水シール部は、ガスケットの対接面に溝部を形成するとともに、この溝部にシリコーンスポンジ製のシール部材を嵌め込んで構成されている。
【０００４】
上記従来技術では、隣り合う窓板材の間に設けられるガスケットを、第一のガスケット部と第二のガスケット部とに分割して形成することにより、これらガスケット部の合わせ面において、窓板材の厚み方向への相対移動が許容される。このため、窓開口の周囲に設けられるプレキャストパネル等の寸法精度や取り付け誤差等に起因する窓板材の厚み方向のずれを吸収することが可能になる。また、止水シール部を設けることにより、上記一対のガスケット部間の水密性も保持される。
【０００５】
【発明が解決しようとする課題】
しかし、窓板材のずれが大きい場合には、上記公報に記載されているようなガスケットの弾性変形のみで窓板材のずれを吸収するのは困難である。
【０００６】
上記問題を解決するため、窓板材の上下縁部をガスケットを用いて窓開口の上下縁部に固定する一方、隣り合う窓板材間にシール材を充填して目地部を構成することも考えられる。
【０００７】
ところが、ガスケットを構成するゴム材料と充填シール材とを接触させてシールを行うと、ガスケットを構成するゴムの加硫剤、老化防止剤等の配合成分が充填したシール材に移行して（マイグレーション）、シール材の接着性能や硬化後の強度を低下させ、あるいは、変色させる等の問題が生じやすい。
【０００８】
本願発明は、窓板材間のずれが大きい場合にも該ずれを吸収し得ると共に、ガスケットとシール材とを併用しても、シール材の性能が低下したり、変色する恐れのない、連窓用目地部の構造及びこれに用いる連窓用ガスケットを提供するものである。
【０００９】
【課題を解決するための手段および発明の効果】
本願の請求項１に記載した発明は、建物窓開口に横方向に連設される窓板材を支持するとともに、隣り合う窓板材間の目地をシールする連窓用目地部の構造であって、各窓板材の上下縁部を窓開口の上下縁部に沿って嵌め込み支持するガスケットと、隣り合う窓板材の側縁部間にシール材を充填して形成される目地シール部とを備え、上記ガスケットの軸方向端面に金属プレートを一体的に接合するとともに、上記金属プレートを介して上記目地シール部と上記ガスケットとを接続したものである。
【００１０】
本願発明では、シール材を充填することにより隣り合う窓板材間の目地部をシールするため、窓板材のずれが大きくなっても容易に対応することができる。
特に、上記金属プレートを設けることによって、ガスケットと充填されたシール材とが接触することがなくなる。このため、ガスケットの配合成分がシール材に移行して、シール材のシール性能等を害する恐れはなくなる。
【００１１】
金属プレートは、少なくとも目地シール部に充填されたシール材がガスケットの端面に接触しないように形成されていればよく、ガスケット端面の一部又は全部を覆う形状に形成すればよい。
【００１２】
また、金属プレートをガスケットの加硫成形時に一体的に接合することにより接合強度が高くなり、ガスケットが金属プレートから剥離することもなくなる。さらに、ガスケットと金属プレートとの接合界面の止水性能も確保できる。
【００１３】
上記金属プレートの材質は特に限定されることはなく、ガスケットに一体的に接合できるものであればよい。たとえば、鉄板、アルミ板、ステンレス板等種々の材料を採用できる。
【００１４】
本発明は請求項２のように縦に連なった窓にも適用できる。すなわち、請求項２に記載した発明は、建物窓開口に縦方向に連設される窓板材を支持するとともに、隣り合う窓板材間の目地をシールする連窓用目地部の構造であって、各窓板材の両側縁部を窓開口の両側縁部に沿って嵌め込み支持するガスケットと、隣り合う窓板材の上下縁部間にシール材を充填して形成される目地シール部とを備え、上記ガスケットの軸方向端面に金属プレートを一体的に接合するとともに、上記金属プレートを介して上記目地シール部と上記ガスケットとを接続したものである。
【００１５】
本願の請求項４に記載した発明は、上記ガスケットに、窓板材の縁部を嵌め込み支持する嵌め込み溝と、ジッパーを嵌め込むジッーパー溝とを設け、上記ジッパー溝にジッパーを嵌め込むことにより、上記嵌め込み溝に嵌め込まれた窓板材の縁部を弾性的に押圧するように構成したものである。
【００１６】
ジッパーによって窓板材を押圧保持することにより、窓板材をガスケットに確実に支持させることができる。また、ガスケットとガラス板との間の水密性を確保できる。ガスケットのジッパー溝を形成した部分が目地シール部に接続される場合は、ジッパーの成分が充填シール材に移行しないように、ジッパー溝を含む領域に金属プレートを接合するのが望ましい。
【００１７】
【発明の実施の形態】
以下、本願発明の実施の形態を図面に従って説明する。
図１は、本願発明に係る目地部の構造を適用する連窓構造の正面図である。建物１の上下の壁部２，２間に横長状の窓開口３が設けられており、この窓開口３に複数のガラス板（窓板材）４を連続して装着することにより、横連窓構造が形成される。
【００１８】
図２に示すように、上記ガラス板４は、窓開口３の上下縁部に沿って設けられた取付部材５に嵌合支持されるガスケット６によって固定される。上記取付部材５は、壁２に埋め込み固定されており、窓開口に沿って突出する断面Ｔ字状の突起部７に上記ガスケット６が嵌合支持されている。
【００１９】
上記ガスケット６は、たとえばクロロプレンゴム等のゴムを押し出し成形して形成されており、図５に示すように、上記突起部７に嵌合する嵌合溝８と、上記板ガラス４を嵌め込み支持する嵌め込み溝９と、ゴム製のジッパーを嵌め込むジッパー溝１０と、窓開口の縁部に弾性的に当接するシールリップ１１とを備える。
【００２０】
上記嵌め込み溝９に板ガラス４の縁部を嵌め込むとともに、上記ジッパ溝１０にゴム製のジッパ１２を嵌め込むことにより、上記ガラス板近傍の部分がガラス板側面に弾性的に押しつけられ、ガラス板４の上下縁部が水密性をもってガスッケト６に支持される。
【００２１】
一方、隣り合うガラス板４ないしガスケット６間に形成される目地隙間には、シリコーンシーラントからなるシール材が充填されて目地シール部１３が構成されている。
【００２２】
図４に示すように、発泡ポリエチレン等のバックアップ材１５を目地隙間の内側に挿入するとともに、表面側にシール材を充填することにより、目地シール部１３が形成されている。
【００２３】
また、図３に示すように、上記ガスケット６の軸方向端面に金属プレート１４を一体的に接合するとともに、上記目地シール部１３と上記ガスケット６とを、上記金属プレート１４を介して接続している。
【００２４】
上記金属プレート１４はステンレス板を用いて形成されており、図５において一点鎖線で示すように、ガスケット６の端面のほぼ全域を覆う形状に形成されている。また、上記金属プレート１４は、上記ガスケット６を加硫成形するときに一体的に接合される。
【００２５】
実施の形態では、上記ガスケット６の端面と上記目地シール部１３とは、上記金属プレート１４を介して接続されるため、ガスケット６と目地シール部１３とが直接接触することはない。
【００２６】
したがって、ガスケット６を構成するクロロプレンゴムに含まれる加硫剤や老化防止剤が目地シール部１３を構成するシール材に移行することはない。このため、シール材がが変質してシール性能や硬化特性等が低下する恐れはなくなる。また、長期間にわたってシール性能を発揮させることができるため、目地部の信頼性が高まる。
【００２７】
また、本願発明では、シール材を充填することにより隣り合う窓板材ないしガスケット間の目地部をシールするため、目地部の幅を最小限におさえながら、窓板材の取り付け誤差等を吸収できる。
【００２８】
本願発明は上述した実施の形態に限定されることはない。実施の形態では、クロロプレンゴムから形成されたガスケットを採用したが、シリコーンゴム等他のゴム材料から形成されたガスケットを採用できる。シール材もシリコーン系に限定されることはなく、アクリル系等他のシール材を採用できる。また、金属プレートもステンレスに限定されることはなく、アルミ等他の材料を採用できる。
【００２９】
また、ガスケット及び金属プレートの形状も実施の形態に限定されることはない。たとえば、図６に示すように、窓開口の縁部に嵌合溝１６を形成する一方、ガスケット１７の底部に嵌合突起１８を形成し、嵌合突起１８を嵌合溝１６に嵌合させることにより、ガスケット１７を窓開口に固定するように構成した場合等にも本願発明を適用できる。
【図面の簡単な説明】
【図１】本願発明に係る目地部の構造を設ける連窓構造の正面図である。
【図２】本願発明に係る目地部の構造を表す斜視図である。
【図３】本願発明に係る目地部の構造を表す正面図である。
【図４】図３におけるIV−IV線に沿う断面図である。
【図５】図３における V−V 線に沿う断面図である。
【図６】他の実施の形態を示す斜視図である。
【符号の説明】
４  ガラス板（窓板材）
６  ガスケット
１３  目地シール部
１４  金属プレート
【図１】
0003702990.tif 000002
【図２】
0003702990.tif 000003
【図３】
0003702990.tif 000004
【図４】
0003702990.tif 000005
【図５】
0003702990.tif 000006
【図６】
0003702990.tif 000007